(57)【要約】  本発明は、通信システムにおいて、ピコ・セルのセル範囲拡大部内のユーザ機器がピコｅＮＢからブロードキャスト情報を受信するのを支援する方法を提供している。本発明の一実施形態によれば、マクロｅＮＢまたはピコｅＮＢは、ピコ・セルのセル範囲拡大部へと移動することになるユーザ機器に対して、ピコ・セルのブロードキャスト情報と、ブロードキャスト情報に対応するピコ・セルの識別子とを含む支援シグナリングを送信し、その結果、ユーザ機器は、ピコ・セルのセル範囲拡大部へと移動した後に、ピコｅＮＢからスムーズにブロードキャスト情報を受信する。マクロｅＮＢまたはピコｅＮＢは、特定のリソースの上でブロードキャスト情報を送信し、更新し、その結果、ユーザ機器は受信堅牢性を満たす。
2015518344.tif 000002
【特許請求の範囲】
【請求項１】
通信システムのマクロｅＮＢにおいて、ピコ・セルのセル範囲拡大部内のユーザ機器がピコｅＮＢからブロードキャスト情報を受信するのを支援する方法であって、前記マクロｅＮＢのカバレッジ・エリアは、前記ピコｅＮＢによってサービスされる少なくとも１つの領域を含んでおり、前記ピコｅＮＢによってサービスされる前記領域は、前記セル範囲拡大部を含んでおり、前記マクロｅＮＢは、前記ピコｅＮＢの前記ブロードキャスト情報を共用し、前記方法は、
ａ．マクロ・セルから前記ピコ・セルの前記セル範囲拡大部へと移動することになる前記ユーザ機器を決定するステップと、
ｂ．所定の時間および周波数のリソースの上で、所定の伝送方式および所定の伝送モードで、前記決定されたユーザ機器に対して第１の支援シグナリングを送信するステップと
を含み、前記第１の支援シグナリングは、前記マクロｅＮＢによって共用される、前記ピコｅＮＢの前記ブロードキャスト情報と、前記ブロードキャスト情報に対応する前記ピコ・セルの識別子とを含む、方法。
【請求項２】
前記ステップａは、
前記ユーザ機器からイベント・トリガ報告のシーケンス番号を受信したとき、前記ユーザ機器が前記マクロ・セルから前記ピコ・セルの前記セル範囲拡大部へと移動することになると決定するステップ
をさらに含み、前記イベント・トリガ報告は、前記マクロ・セルの信号品質が絶対しきい値より低く、前記ピコ・セルの信号品質にバイアス値を加えたものが、前記マクロ・セルの前記信号品質より高く、または前記ピコ・セルの前記信号品質に前記バイアス値を加えたものが、絶対しきい値より高いことを示す、請求項１に記載の方法。
【請求項３】
前記ステップａは、
前記ユーザ機器から所定の品質パラメータを受信するステップと、前記所定の品質パラメータが所定のしきい値より低いときに、前記ユーザ機器が前記マクロ・セルから前記ピコ・セルの前記セル範囲拡大部へと移動することになると決定するステップと
をさらに含む、請求項１に記載の方法。
【請求項４】
通信システムのピコｅＮＢにおける、前記ピコ・セルのセル範囲拡大部内のユーザ機器がピコｅＮＢからブロードキャスト情報を受信するのを支援する方法であって、マクロｅＮＢのカバレッジ・エリアは、前記ピコｅＮＢによってサービスされる少なくとも１つの領域を含んでおり、前記ピコｅＮＢによってサービスされる前記領域は、前記セル範囲拡大部を含んでおり、前記マクロｅＮＢは、前記ピコｅＮＢの前記ブロードキャスト情報を共用し、前記方法は、
ｇ．マクロ・セルから前記ピコ・セルの前記セル範囲拡大部へと移動する前記ユーザ機器に対して、前記ピコｅＮＢが、前記マクロｅＮＢのほとんどブランクのサブフレームに対応する保護されたサブフレームの時間および周波数のリソースの上で前記ユーザ機器に対して前記ブロードキャスト情報を送信することになることを示す第１の制御シグナリングを送信するステップと、
ｈ．前記保護されたサブフレームの前記の時間および周波数のリソースの上で前記ブロードキャスト情報を送信するステップと
を含む、方法。
【請求項５】
前記保護されたサブフレームの前記の時間および周波数のリソースは、前記ユーザ機器が受信堅牢性を満たすことを可能にする、請求項４に記載の方法。
【請求項６】
前記ステップｈは、
前記セル範囲拡大部において前記ユーザ機器を更新するステップと、前記保護されたサブフレームの前記の時間および周波数のリソースの上で前記更新されたユーザ機器に対して前記ブロードキャスト情報を送信するステップと
をさらに含む、請求項４に記載の方法。
【請求項７】
通信システムのユーザ機器において、ピコ・セルのセル範囲拡大部内のユーザ機器がピコｅＮＢからブロードキャスト情報を受信するのを支援する方法であって、マクロｅＮＢのカバレッジ・エリアは、前記ピコｅＮＢによってサービスされる少なくとも１つの領域を含んでおり、前記ピコｅＮＢによってサービスされる前記領域は、前記セル範囲拡大部を含んでおり、前記マクロｅＮＢは、前記ピコｅＮＢの前記ブロードキャスト情報を共用し、前記方法は、
ｉ．前記マクロｅＮＢに対してイベント・トリガ報告のシーケンス番号、または所定の品質パラメータを送信するステップと、
ｉｉ．所定の時間および周波数のリソースの上で前記マクロｅＮＢから、前記マクロｅＮＢによって共用される前記ピコｅＮＢの前記ブロードキャスト情報と、前記ブロードキャスト情報に対応する前記ピコ・セルの識別子とを含む第１の支援シグナリングを受信するステップと、
ｉｉｉ．前記ユーザ機器がマクロ・セルから前記ピコ・セルの前記セル範囲拡大部へと移動するときに、前記ピコ・セルから、前記ピコｅＮＢが、前記マクロｅＮＢのほとんどブランクのサブフレームに対応する保護されたサブフレームの時間および周波数のリソースの上で前記ユーザ機器に対して前記ブロードキャスト情報を送信することになることを示す第１の制御シグナリングを受信するステップと、
ｉｖ．前記マクロｅＮＢの前記ほとんどブランクのサブフレームに対応する前記保護されたサブフレームの前記の時間および周波数のリソースの上で前記ピコｅＮＢから前記ブロードキャスト情報を受信するステップと
を含む、方法。
【請求項８】
通信システムのピコｅＮＢにおける、前記ピコ・セルのセル範囲拡大部内のユーザ機器がピコｅＮＢからブロードキャスト情報を受信するのを支援する方法であって、マクロｅＮＢのカバレッジ・エリアは、前記ピコｅＮＢによってサービスされる少なくとも１つの領域を含んでおり、前記ピコｅＮＢによってサービスされる前記領域は、前記セル範囲拡大部を含んでおり、前記方法は、
Ａ．前記ピコ・セルから前記ピコ・セルの前記セル範囲拡大部へと移動することになる前記ユーザ機器を決定するステップと、
Ｂ．前記マクロｅＮＢのほとんどブランクのサブフレームに対応する保護されたサブフレームの時間および周波数のリソースの上で、所定の伝送方式および所定の伝送モードで、前記決定されたユーザ機器に対して、前記ピコｅＮＢの前記ブロードキャスト情報と、前記ブロードキャスト情報に対応する前記ピコ・セルの識別子とを含む第２の支援シグナリングを送信するステップと、
Ｃ．前記ピコ・セルから前記ピコ・セルの前記セル範囲拡大部へと移動する前記ユーザ機器に対して、前記ピコｅＮＢが、前記マクロｅＮＢの前記ほとんどブランクのサブフレームに対応する前記保護されたサブフレームの前記の時間および周波数のリソースの上で前記ユーザ機器に対して前記ブロードキャスト情報を送信することになることを示す第２の制御シグナリングを送信するステップと、
Ｄ．前記保護されたサブフレームの前記の時間および周波数のリソースの上で前記ブロードキャスト情報を送信するステップと
を含む、方法。
【請求項９】
前記ステップＡは、
前記ユーザ機器からイベント・トリガ報告のシーケンス番号を受信したとき、前記ユーザ機器が前記ピコ・セルから前記ピコ・セルの前記セル範囲拡大部へと移動することになると決定するステップ
をさらに含んでおり、前記イベント・トリガ報告は、前記ピコ・セルの信号品質が絶対しきい値より低く、マクロ・セルの信号品質にバイアス値を加えたものが、前記ピコ・セルの前記信号品質より高く、または前記マクロ・セルの前記信号品質に前記バイアス値を加えたものが、絶対しきい値より高いことを示す、請求項８に記載の方法。
【請求項１０】
前記ステップＡは、
前記ユーザ機器から所定の品質パラメータを受信するステップと、前記所定の品質パラメータが所定のしきい値より下にあるときに、前記ユーザ機器が前記ピコ・セルから前記ピコ・セルの前記セル範囲拡大部へと移動することになると決定するステップと
をさらに含む、請求項８に記載の方法。
【請求項１１】
前記マクロｅＮＢの前記ほとんどブランクのサブフレームに対応する前記保護されたサブフレームの前記の時間および周波数のリソースは、前記決定されたユーザ機器が受信堅牢性を満たすことを可能にする、請求項８に記載の方法。
【請求項１２】
前記ステップＤは、
前記セル範囲拡大部において前記ユーザ機器を更新するステップと、前記保護されたサブフレームの前記の時間および周波数のリソースの上で前記更新されたユーザ機器に対して前記ブロードキャスト情報を送信するステップと
をさらに含む、請求項８に記載の方法。
【請求項１３】
通信システムのユーザ機器において、ピコ・セルのセル範囲拡大部内のユーザ機器がピコｅＮＢからブロードキャスト情報を受信するのを支援する方法であって、マクロｅＮＢのカバレッジ・エリアは、前記ピコｅＮＢによってサービスされる少なくとも１つの領域を含んでおり、前記ピコｅＮＢによってサービスされる前記領域は、前記セル範囲拡大部を含んでおり、前記方法は、
Ｘ１．前記ピコｅＮＢに対してイベント・トリガ報告のシーケンス番号、または所定の品質パラメータを送信するステップと、
Ｘ２．前記マクロｅＮＢのほとんどブランクのサブフレームに対応する保護されたサブフレームの時間および周波数のリソースの上で前記ピコｅＮＢから、前記ピコｅＮＢの前記ブロードキャスト情報と、前記ブロードキャスト情報に対応する前記ピコ・セルの識別子とを含む第２の支援シグナリングを受信するステップと、
Ｘ３．前記ユーザ機器が前記ピコ・セルから前記ピコ・セルの前記セル範囲拡大部へと移動するときに、前記ピコ・セルから、前記ピコｅＮＢが、前記マクロｅＮＢの前記ほとんどブランクのサブフレームに対応する前記保護されたサブフレームの前記の時間および周波数のリソースの上で前記ユーザ機器に対して前記ブロードキャスト情報を送信することになることを示す第２の制御シグナリングを受信するステップと、
Ｘ４．前記マクロｅＮＢの前記ほとんどブランクのサブフレームに対応する前記保護されたサブフレームの前記の時間および周波数のリソースの上で前記ピコｅＮＢから前記ブロードキャスト情報を受信するステップと
を含む、方法。
【請求項１４】
前記イベント・トリガ報告は、前記ピコ・セルの信号品質が絶対しきい値より低く、マクロ・セルの信号品質にバイアス値を加えたものが、前記ピコ・セルの前記信号品質より高く、または前記マクロ・セルの前記信号品質に前記バイアス値を加えたものが、絶対しきい値より高いことを示す、請求項１３に記載の方法。
【請求項１５】
前記保護されたサブフレームの前記周波数リソースは、前記ユーザ機器が受信堅牢性を満たすことを可能にする、請求項１３に記載の方法。
【発明の詳細な説明】
【技術分野】
【０００１】
本開示は、通信システムに関し、詳細には、通信システムにおいて、ピコ・セルのセル範囲拡大部（ｃｅｌｌ  ｒａｎｇｅ  ｅｘｐａｎｓｉｏｎ）内のユーザ機器がピコｅＮＢからブロードキャスト情報を受信するのを支援する方法に関する。
【背景技術】
【０００２】
現在では、３ＧＰＰ  Ｒｅｌ−１において、セル間干渉調整に対するさらなる機能強化が特に注目されている。以下の重要な課題、すなわち、ユーザ機器がピコ・セルの何らかの重要なブロードキャスト情報を検出できないときユーザ機器がピコ・セルのセル範囲拡大部内でいかに十分に動作するかもまた含まれる。
【０００３】
セル範囲拡大部のサイズは、バイアス値の大きさに関連づけられる。例えば、バイアス値は、５ｄＢ、９ｄＢなどに設定される可能性がある。セル間ハンドオーバおよびセル選択のためにバイアス値を設定することを通して、多数のユーザ機器がピコ・セルによってサービスを受けることができる。したがって、ユーザの容量はピコ・セルによって増大され、いくつかの中央サービスだけがマクロ・セルによってサービスされる。
【０００４】
レガシ・セルの選択方式および／またはアクセス方式とは異なり、バイアス値は、ユーザ機器がセル範囲拡大部を有するピコ・セルにアクセスするときに導入される。すなわち、ユーザ機器は、ピコ・セルからユーザ機器によって受信される信号の電力、および信号対雑音比などにバイアス値を加えたものが、マクロ・セルからの信号の電力、および信号対雑音比などより高いときに、ピコ・セルにアクセスすることになる。
【０００５】
したがって、ユーザ機器がピコ・セルにアクセスしているにもかかわらずピコ・セルからの信号の電力がマクロ・セルの電力より低いという問題が生じる。バイアス値が増大することにより、セル範囲拡大部内のユーザ機器は、ブロードキャスト情報、例えば、マスタ情報ブロック、システム情報ブロック−ｘ、ページング情報などピコｅＮＢから正しく受信することができなくなる。
【０００６】
その結果、セル範囲拡大部内のユーザ機器は、ピコｅＮＢから正しくブロードキャスト情報を受信することができず、したがってマクロ・セルに切り替えて戻さなければならず、したがってセル範囲拡大部が導入された理由に反する。
【先行技術文献】
【非特許文献】
【０００７】
【非特許文献１】３ＧＰＰ  Ｒｅｌ−１
【発明の概要】
【発明が解決しようとする課題】
【０００８】
明らかに、先行技術に存在する問題は、ユーザ機器が、ピコｅＮＢからブロードキャスト情報を獲得することができず、したがって、ピコ・セルのセル範囲拡大部に対して移動するときにスケジュールされ得ないことにある。すなわち、ハンドオーバ要求を満たしたユーザ機器は、ピコ・セルを「見る」ことができるが、ピコｅＮＢからどのようなブロードキャスト情報も受信することができず、したがって、ピコ・セルから再度切り替えられる必要がある。
【課題を解決するための手段】
【０００９】
したがって、先行技術内に存在する問題に鑑みて、本発明の第１の態様によれば、通信システムのマクロｅＮＢにおいて、ピコ・セルのセル範囲拡大部内のユーザ機器がピコｅＮＢからブロードキャスト情報を受信するのを支援する方法が提案され、マクロｅＮＢのカバレッジ・エリアは、ピコｅＮＢによってサービスされる少なくとも１つの領域を含んでおり、ピコｅＮＢによってサービスされる領域は、セル範囲拡大部を含んでおり、マクロｅＮＢは、ピコｅＮＢのブロードキャスト情報を共用し、本方法は、ａ．マクロ・セルからピコ・セルのセル範囲拡大部へと移動することになるユーザ機器を決定するステップと、ｂ．所定の時間および周波数のリソースの上で、所定の伝送モードおよび所定の伝送モードで、その決定されたユーザ機器に対して第１の支援シグナリングを送信するステップとを含み、その第１の支援シグナリングは、マクロｅＮＢによって共用される、ピコｅＮＢのブロードキャスト情報と、ブロードキャスト情報に対応するピコ・セルの識別子とを含む。
【００１０】
本発明の好ましい一実施形態によれば、本ステップａは、ユーザ機器からイベント・トリガ報告のシーケンス番号を受信したとき、ユーザ機器がマクロ・セルからピコ・セルのセル範囲拡大部へと移動することになると決定するステップをさらに含んでおり、そこでは、イベント・トリガ報告は、マクロ・セルの信号品質が絶対しきい値より低く、ピコ・セルの信号品質にバイアス値を加えたものが、マクロ・セルの信号品質より高く、またはピコ・セルの信号品質にバイアス値を加えたものが、絶対しきい値より高いことを示す。
【００１１】
ここで、ユーザ機器は、ＬＴＥにおいて規定されるイベント・トリガ報告判断基準内のイベントＡ２（すなわち、現在のセルのチャネル測定品質が、絶対しきい値より低いこと）と、イベントＡ３（すなわち、隣接セルのチャネル測定品質にバイアス値を加えたものが、現在のセルのチャネル測定品質より高いこと）と、イベントＡ４（すなわち、隣接セルのチャネル測定品質（バイアス値を含む）が、絶対しきい値より高いこと）とを利用することができ、そこでは、バイアス値の設定、および絶対値の設定は、マクロ・セルとピコ・セルとの調整を用いて生成され、またはネットワーク側において決定される可能性がある。
【００１２】
イベントがトリガされるとすぐに、ユーザ機器は、対応するイベント・トリガ報告のシーケンス番号をマクロｅＮＢに対して送信し、その結果、ｅＮＢは、報告のシーケンス番号から、ユーザ機器がマクロ・セルからピコ・セルのセル範囲拡大部へと移動することになると決定することができる。
【００１３】
本発明の好ましい一実施形態によれば、本ステップａは、ユーザ機器から所定の品質パラメータを受信するステップと、所定の品質パラメータが所定のしきい値より低いときに、ユーザ機器がマクロ・セルからピコ・セルのセル範囲拡大部へと移動することになると決定するステップとをさらに含み、ここでは、所定のパラメータは、受信信号電力と、受信信号品質と、変調および符号化の方式レベルのいずれか１つを含む。例えば、ユーザ機器は、マクロｅＮＢに対してパラメータを送信し、ｅＮＢは、所定のしきい値とパラメータを比較し、またしたがってユーザ機器がマクロ・セルからピコ・セルのセル範囲拡大部へと移動することになるかどうかを決定することができる。例えば、しきい値は、物理ブロードキャスト・チャネルと、ＳＩＢ−ｘと、ページング情報などとの伝送要件に関して決定することができる。
【００１４】
例えば、具体的には、異なるコード・レートと変調との場合に、変調および符号化方式（ＭＣＳ：ｍｏｄｕｌａｔｉｏｎ  ａｎｄ  ｃｏｄｉｎｇ  ｓｃｈｅｍｅ）は、２７個のレベルを有する。ユーザ機器は、ユーザ機器がスケジュールされるときに、その適切なＭＣＳ選択を報告することになる。ユーザ機器が、チャネルが、不十分であることを判断する場合に、ユーザ機器は、ＱＰＳＫ方式を報告することになる。この場合には、マクロｅＮＢは、そのチャネルが、不十分であることを暗黙のうちに判断し、またユーザ機器がマクロ・セルからピコ・セルのセル範囲拡大部へと移動することになると決定することができる。
【００１５】
好ましい一実施形態によれば、所定の時間および周波数のリソースは、ユーザ機器が受信堅牢性を満たすことを可能にする。
【００１６】
好ましい一実施形態によれば、所定の伝送方式は、反復伝送方式と、空間ダイバーシティ方式とを含んでいる。それゆえに、伝送堅牢性は、さらに保証され、支援シグナリングのカバレッジ・エリアは、拡大される。当業者なら、他の任意の類似した伝送方式が、ここで伝送堅牢性を満たすために使用され得ることを理解すべきである。
【００１７】
好ましい一実施形態によれば、所定の伝送モードは、ユーザ特有の伝送モードと、ユーザ・グループ特有の伝送モードとを含んでいる。送信された支援シグナリングは、すべてのユーザ機器について同じであるので、ユーザ・グループ特有の伝送モードが、採用される可能性があり、すなわち、リソースのただ１つのブロックが、すべてのユーザ機器のブロードキャスト情報の伝送をサポートするために、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）または機能強化物理ダウンリンク制御チャネル（ＥＰＤＣＣＨ：ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）の上で必要とされる。それによって、効率は改善され、リソースは節約される。他方では、ユーザ特有の伝送モードが選択される場合には、ＰＤＣＣＨまたはＥＰＤＣＣＨの上のリソースは、それぞれのユーザ機器について別々に割り付けられる可能性があり、その結果、ユーザ機器は、ＰＤＣＣＨまたはＥＰＤＣＣＨの上でより柔軟にリソースを使用することができる。例えば、ユーザ機器１は、ユーザ機器１に適しているリソースの上でスケジュールされる可能性があり、ユーザ機器２は、ユーザ機器２に適しているリソースの別のブロックの上でスケジュールされる可能性があり、したがって柔軟性と自由度とを改善している。
【００１８】
本発明の第２の態様によれば、通信システムのピコｅＮＢにおいて、ピコ・セルのセル範囲拡大部内のユーザ機器がピコｅＮＢからブロードキャスト情報を受信するのを支援する方法が提案され、マクロｅＮＢのカバレッジ・エリアは、ピコｅＮＢによってサービスされる少なくとも１つの領域を含んでおり、ピコｅＮＢによってサービスされるその領域は、セル範囲拡大部を含んでおり、マクロｅＮＢは、ピコｅＮＢのブロードキャスト情報を共用し、本方法は、ｇ．マクロ・セルからピコ・セルのセル範囲拡大部へと移動するユーザ機器に対して、ピコｅＮＢが、マクロｅＮＢのほとんどブランクのサブフレームに対応する保護されたサブフレームの時間および周波数のリソースの上でユーザ機器に対してブロードキャスト情報を送信することになることを示す第１の制御シグナリングを送信するステップと、ｈ．保護されたサブフレームの時間および周波数のリソースの上でブロードキャスト情報を送信するステップとを含む。
【００１９】
本発明の好ましい一実施形態によれば、保護されたサブフレームの時間および周波数のリソースは、ユーザ機器が受信堅牢性を満たすことを可能にする。
【００２０】
本発明の好ましい一実施形態によれば、ステップｈは、セル範囲拡大部においてユーザ機器を更新するステップと、保護されたサブフレームの時間および周波数のリソースの上で更新されたユーザ機器に対してブロードキャスト情報を送信するステップとをさらに含む。
【００２１】
ここで、ピコｅＮＢは、ユーザ機器が、ピコ・セルのセル範囲拡大部へと、またセル範囲拡大部の外へと移動していることを監視および捕捉することができ、さらに、セル範囲拡大部においてユーザ機器を更新して、それによって保護されたサブフレームの時間および周波数のリソースの上でこれらのユーザ機器のためにブロードキャスト情報を更新し、または送信することができる。
【００２２】
本発明の第３の態様によれば、通信システムのユーザ機器において、ピコ・セルのセル範囲拡大部内のユーザ機器がピコｅＮＢからブロードキャスト情報を受信するのを支援する方法が提案され、マクロｅＮＢのカバレッジ・エリアは、ピコｅＮＢによってサービスされる少なくとも１つの領域を含んでおり、ピコｅＮＢによってサービスされるその領域は、セル範囲拡大部を含んでおり、マクロｅＮＢは、ピコｅＮＢのブロードキャスト情報を共用し、本方法は、ｉ．マクロｅＮＢに対してイベント・トリガ報告のシーケンス番号、または所定の品質パラメータを送信するステップと、ｉｉ．所定の時間および周波数のリソースの上でマクロｅＮＢから、マクロｅＮＢによって共用されるピコｅＮＢのブロードキャスト情報と、ブロードキャスト情報に対応するピコ・セルの識別子とを含む第１の支援シグナリングを受信するステップと、ｉｉｉ．ユーザ機器がマクロ・セルからピコ・セルのセル範囲拡大部へと移動するときに、ピコ・セルから、ピコｅＮＢが、マクロｅＮＢのほとんどブランクのサブフレームに対応する保護されたサブフレームの時間および周波数のリソースの上でユーザ機器に対してブロードキャスト情報を送信することになることを示す第１の制御シグナリングを受信するステップと、ｉｖ．マクロｅＮＢのほとんどブランクのサブフレームに対応する保護されたサブフレームの時間および周波数のリソースの上でピコｅＮＢからブロードキャスト情報を受信するステップとを含む。
【００２３】
好ましい一実施形態によれば、所定の時間および周波数のリソースと、保護されたサブフレームの時間および周波数のリソースとは、それぞれ、決定されたユーザ機器が受信堅牢性を満たすことを可能にする。
【００２４】
本発明の第４の実施形態によれば、通信システムのピコｅＮＢにおいて、ピコ・セルのセル範囲拡大部内のユーザ機器がピコｅＮＢからブロードキャスト情報を受信するのを支援する方法が提案され、マクロｅＮＢのカバレッジ・エリアは、ピコｅＮＢによってサービスされる少なくとも１つの領域を含んでおり、ピコｅＮＢによってサービスされるその領域は、セル範囲拡大部を含んでおり、本方法は、Ａ．ピコ・セルからピコ・セルのセル範囲拡大部へと移動することになるユーザ機器を決定するステップと、Ｂ．マクロｅＮＢのほとんどブランクのサブフレームに対応する保護されたサブフレームの時間および周波数のリソースの上で、所定の伝送方式および所定の伝送モードで、決定されたユーザ機器に対して、ピコｅＮＢのブロードキャスト情報と、ブロードキャスト情報に対応するピコ・セルの識別子とを含む第２の支援シグナリングを送信するステップと、Ｃ．ピコ・セルからピコ・セルのセル範囲拡大部へと移動するユーザ機器に対して、ピコｅＮＢが、マクロｅＮＢのほとんどブランクのサブフレームに対応する保護されたサブフレームの時間および周波数のリソースの上でユーザ機器に対してブロードキャスト情報を送信することになることを示す第２の制御シグナリングを送信するステップと、Ｄ．保護されたサブフレームの時間および周波数のリソースの上でブロードキャスト情報を送信するステップとを含む。
【００２５】
本発明の好ましい一実施形態によれば、ステップＡは、ユーザ機器からイベント・トリガ報告のシーケンス番号を受信したとき、ユーザ機器がピコ・セルからピコ・セルのセル範囲拡大部へと移動することになると決定するステップをさらに含んでおり、そこでは、イベント・トリガ報告は、ピコ・セルの信号品質が絶対しきい値より低く、マクロ・セルの信号品質にバイアス値を加えたものが、ピコ・セルの信号品質より高く、またはマクロ・セルの信号品質にバイアス値を加えたものが、絶対しきい値より高いことを示す。
【００２６】
ここで、ユーザ機器は、ＬＴＥにおいて規定されるイベント・トリガ報告の判断基準において、イベントＡ２と、イベントＡ３と、イベントＡ４とを利用し、イベントがトリガされるときに、マクロｅＮＢに対して対応するイベント・トリガ報告のシーケンス番号を送信することができ、その結果、ｅＮＢは、報告のシーケンス番号から、ユーザ機器がマクロ・セルからピコ・セルのセル範囲拡大部へと移動することになると決定することができる。
【００２７】
本発明の好ましい一実施形態によれば、ステップＡは、ユーザ機器から所定の品質パラメータを受信するステップと、所定の品質パラメータが所定のしきい値より下にあるときに、ユーザ機器がピコ・セルからピコ・セルのセル範囲拡大部へと移動することになると決定するステップとをさらに含む。
【００２８】
本発明の好ましい一実施形態によれば、ステップＤは、セル範囲拡大部においてユーザ機器を更新するステップと、保護されたサブフレームの時間および周波数のリソースの上で更新されたユーザ機器に対してブロードキャスト情報を送信するステップとをさらに含む。
【００２９】
本発明の第５の実施形態によれば、通信システムのユーザ機器において、ピコ・セルのセル範囲拡大部内のユーザ機器がピコｅＮＢからブロードキャスト情報を受信するのを支援する方法が提案され、マクロｅＮＢのカバレッジ・エリアは、ピコｅＮＢによってサービスされる少なくとも１つの領域を含んでおり、ピコｅＮＢによってサービスされるその領域は、セル範囲拡大部を含んでおり、本方法は、Ｘ１．ピコｅＮＢに対してイベント・トリガ報告のシーケンス番号、または所定の品質パラメータを送信するステップと、Ｘ２．マクロｅＮＢのほとんどブランクのサブフレームに対応する保護されたサブフレームの時間および周波数のリソースの上でピコｅＮＢから、ピコｅＮＢのブロードキャスト情報と、ブロードキャスト情報に対応するピコ・セルの識別子とを含む第２の支援シグナリングを受信するステップと、Ｘ３．ユーザ機器がピコ・セルからピコ・セルのセル範囲拡大部へと移動するときに、ピコ・セルから、ピコｅＮＢが、マクロｅＮＢのほとんどブランクのサブフレームに対応する保護されたサブフレームの時間および周波数のリソースの上でユーザ機器に対してブロードキャスト情報を送信することになることを示す第２の制御シグナリングを受信するステップと、Ｘ４．マクロｅＮＢのほとんどブランクのサブフレームに対応する保護されたサブフレームの時間および周波数のリソースの上でピコｅＮＢからブロードキャスト情報を受信するステップとを含む。
【００３０】
したがって、本発明の好ましい技術的問題解決手法の場合、ピコ・セルのブロードキャスト情報を含む支援シグナリングを、ユーザ機器がピコ・セルのセル範囲拡大部に向かって移動することに先立って送信することができ、その結果、ユーザ機器は、ピコ・セルのセル範囲拡大部内に移動した後にピコ・セルに適切に切り替えられる。他方では、特定のリソースの上でブロードキャスト情報を送信および更新することにより、ユーザ機器の受信堅牢性が満たされる。
【００３１】
具体的には、その後、ブロードキャスト情報は、各フレーム内に存在する代わりに、定期的に更新される。例えば、マスタ情報ブロックは、４０ｍｓごとに一度更新され、システム情報ブロック−ｘは、８０ｍｓごとに一度更新され、ページング情報は、１６０ｍｓごとに一度更新され、したがって、ピコｅＮＢのこれらのブロードキャスト情報が、ユーザ機器がセル範囲拡大部へと移動する前に更新され、またはユーザ機器に対して送信されることを保証することが必要であるにすぎず、その結果、ユーザ機器は、セル範囲拡大部へと移動した後でさえ、ハンドオーバのために依然として有効なブロードキャスト情報を利用することができる。比較的高い信号対雑音比を有するリソースを用いて、例えば、マクロｅＮＢのほとんどブランクのサブフレームに対応する保護されたサブフレームの何らかの時間および周波数のリソースを用いて、ピコｅＮＢは、ユーザ機器がセル範囲拡大部へと移動した後に、ユーザ機器に対してブロードキャスト情報を送信することができる。
【００３２】
例えば、マスタ情報ブロックと、システム情報ブロック−ｘと、ページング情報とを含むブロードキャスト情報では、セル範囲拡大部へと移動する前にユーザ機器によって受信される支援シグナリング内のブロードキャスト情報は、引き続いて起こる４０ｍｓ全体を通して有効であり、その結果、ユーザ機器は、引き続いて起こる４０ｍｓにおいて、ピコｅＮＢが、ブロードキャスト情報を更新するためにマクロｅＮＢのほとんどブランクのサブフレームに対応する保護されたサブフレームの適切な時間および周波数のリソースを選択する限り、ピコ・セルへとスムーズに切り替えられる可能性がある。
【００３３】
本発明についての他の特徴と、目的と、利点とは、図面を参照して解釈される非限定的な実施形態についての以下の詳細な説明を検討するとすぐに、より明らかになるであろう。
【図面の簡単な説明】
【００３４】
【図１】本発明の一実施形態によるセルラ・ネットワークの概略図である。
【図２】本発明の一実施形態による、ピコ・セルのセル範囲拡大部内のユーザ機器がピコｅＮＢからブロードキャスト情報を受信するのを支援する方法のフロー・チャートを示す図である。
【図３】本発明の別の実施形態によるセルラ・ネットワークの概略図である。
【図４】本発明の別の実施形態による、ピコ・セルのセル範囲拡大部内のユーザ機器がピコｅＮＢからブロードキャスト情報を受信するのを支援する方法のフロー・チャートを示す図である。
【発明を実施するための形態】
【００３５】
同一の、または類似した参照番号は、図面内の異なる図全体を通して同一の、または類似したコンポーネントまたは特徴を示している。
【００３６】
図１は、本発明の一実施形態によるセルラ・ネットワークの概略図を示すものである。
【００３７】
図１に示されるように、マクロｅＮＢのカバレッジ・エリアは、ピコｅＮＢによってサービスされる領域を含んでおり、ピコｅＮＢによってサービスされる領域は、セル範囲拡大部（点線の円と、実線の円との間の領域Ａ）を含んでいる。しかしながら、当業者なら、マクロｅＮＢのカバレッジ・エリアが、複数のピコｅＮＢを含むことができ、またそれぞれの異なるピコｅＮＢによってサービスされる領域を含み、したがって複数のセル範囲拡大部をさらに含むことができることを理解すべきである。
【００３８】
さらに、図１に示されるように、ユーザ機器は、マクロ・セルからピコ・セルのセル範囲拡大部に向かって移動している。
【００３９】
図１と一緒に、図２は、本発明の一実施形態による、ピコ・セルのセル範囲拡大部内のユーザ機器がピコｅＮＢからブロードキャスト情報を受信するのを支援する方法のフロー・チャートを示すものである。
【００４０】
ステップＳ２１において、ユーザ機器は、マクロｅＮＢに対してイベント・トリガ報告のシーケンス番号、または所定の品質パラメータを送信する。ステップＳ２２において、マクロｅＮＢは、マクロ・セルからピコ・セルのセル範囲拡大部へと移動することになるユーザ機器を決定する。
【００４１】
具体的には、イベント・トリガ報告のシーケンス番号を送信する場合に、例えば、ユーザ機器は、ＬＴＥにおいて規定されるイベントＡ２と、イベントＡ３と、イベントＡ４とを利用し、イベントがトリガされるときにマクロｅＮＢに対してイベントに対応するシーケンス番号を報告することができる。この時に、マクロｅＮＢは、ユーザ機器がマクロ・セルからピコ・セルのセル範囲拡大部へと移動することになると決定することになる。
【００４２】
代わりに、ユーザ機器は、何らかの所定の品質パラメータを、例えば、受信信号電力と、受信信号品質と、変調および符号化方式レベルとを定期的に測定し、マクロｅＮＢに対して所定の品質パラメータを報告することができる。マクロｅＮＢは、所定のしきい値とパラメータを比較して、それによってユーザ機器がマクロ・セルからピコ・セルのセル範囲拡大部へと移動することになるかどうかを決定することができる。例えば、しきい値は、物理ブロードキャスト・チャネルと、ＳＩＢ−ｘと、ページング情報などとの伝送要件に関して決定することができる。
【００４３】
ステップＳ２３において、マクロｅＮＢは、所定の時間および周波数のリソースの上で、所定の伝送方式および所定の伝送モードで、決定されたユーザ機器に対して、マクロｅＮＢによって共用されるピコｅＮＢのブロードキャスト情報と、ブロードキャスト情報に対応するピコ・セルの識別子とを含む第１の支援シグナリングを送信する。それゆえに、ユーザ機器は、第１の支援シグナリングからピコｅＮＢのブロードキャスト情報を獲得し、ピコ・セルの識別子から、どのピコ・セルにブロードキャスト情報が対応するかを知ることができる。
【００４４】
例えば、具体的には、マクロｅＮＢは、物理ダウンリンク共用チャネル（ＰＤＳＣＨ：Ｐｈｙｓｉｃａｌ  Ｄｏｗｎｌｉｎｋ  Ｓｈａｒｅｄ  Ｃｈａｎｎｅｌ）の上でユーザ機器に対して、ピコｅＮＢのブロードキャスト情報を含む第１の支援シグナリングを送信し、ＰＤＣＣＨの上でユーザ機器をスケジュールし、どの物理リソース・ブロック（ＰＲＢ：Ｐｈｙｓｉｃａｌ  Ｒｅｓｏｕｒｃｅ  Ｂｌｏｃｋ）対の上に支援シグナリングが位置しているかをユーザ機器に通知することができる。このプロセスは、例えば、事前に定義されるように実行される可能性がある。
【００４５】
所定の時間および周波数のリソースは、決定されたユーザ機器が受信堅牢性を満たすことを可能にすることが好ましい。例えば、マクロｅＮＢは、よりよいチャネル品質インジケータを有する時間および周波数のリソースを選択して、第１の支援シグナリングを送信することができる。
【００４６】
さらに、ユーザ機器による支援シグナリングの正しい受信が、反復伝送方式と、空間ダイバーシティ方式とにおいてさらに保証される可能性がある。他方では、所定の伝送モードは、ユーザ特有の伝送モードと、ユーザ・グループ特有の伝送モードとを含むことができる。
【００４７】
支援シグナリングは、好ましくはＲＲＣシグナリング、またはより高いレイヤ・シグナリングで実行することができる。支援シグナリングの一例、物理構成専用（ＰｈｙｓｉｃａｌＣｏｎｆｉｇＤｅｄｉｃａｔｅｄ）情報要素内で例証されるブロードキャスト情報支援（ＢｒｏａｄＣａｓｔＩｎｆｏＡｓｓｉｓｔ）は、一例として、ＭＩＢと、ＳＩＢ−１とを含んでいる。さらに、ピコ・セルの識別子、物理セルＩｄ（ＰｈｙｓＣｅｌｌＩｄ）は、支援シグナリング内に埋め込まれ、その結果、ユーザ機器は、支援情報を正しくピコ・セルにマッチさせることができる。
物理構成専用情報要素
PhysicalConfigDedicatedSCell-r10  ::=  SEQUENCE  {
--  DL  configuration  as  well  as  configuration  applicable  for  DL  and  UL
nonUL-Configuration-r10              SEQUENCE  {
antennaInfo-r10                    AntennaInfoDedicated-r10  OPTIONAL,  --  Need  ON
crossCarrierSchedulingConfig-r10    CrossCarrierSchedulingConfig-r10  OPTIONAL,    --Need ON
csi-RS-config-r10                        CSI-RS-config-r10            OPTIONAL,    --Need ON
pdsch-ConfigDedicated-r10                PDSCH-ConfigDedicated        OPTIONAL    --Need ON
}                                                                      OPTIONAL,    --Cond SCellAdd
--UL  configuration
--ul  Configuration-r10                SEQUENCE  {
antennaInfoUL-r10                  AntennaInfoUL-r10      OPTIONAL,    --Need ON
pusch-ConfigDedicatedSCell-r10  PUSCH-ConfigDedicatedSCell-r10OPTIONAL,    --Need ON
uplinkPowerControlDedicatedSCell-r10    UplinkPowerControlDedicatedSCell-r10  OPTIONAL,        --Need ON
cqi-ReportConfigSCell-r10          CQI-ReportConfigSCell-r10 OPTIONAL,
--Need ON
soundingRS-UL-ConfigDedicated-r10    SoundingRS-UL-ConfigDedicated  OPTIONAL,    --Need ON
soundingRS-UL-ConfigDedicated-v1020
SoundingRS-UL-ConfigDedicated-v1020OPTIONAL,
--Need ON
soundingRS-UL-ConfigDedicatedAperiodic-r10
SoundingRS-UL-ConfigDedicatedAperiodic-r10  OPTIONAL      --Need ON
}
OPTIONAL,--Cond  CommonUL
...
ic-Assistance  ::  SEQUENCE {
BroadCastInfoAssist                          SEQUENCE  {
physCellId                            physCellId
MasterInformationBlock  ::=        SEQUENCE  {
...
}
SystemInformationBlockType1  ::=      SEQUENCE  {
...
}
}
}
--ASNISTOP[SU1]
【００４８】
ステップＳ２４において、ピコｅＮＢは、マクロ・セルからピコ・セルのセル範囲拡大部へと移動するユーザ機器に対して第１の制御シグナリングを送信し、第１の制御シグナリングは、ピコｅＮＢが、マクロｅＮＢのほとんどブランクのサブフレームに対応する保護されたサブフレームの時間および周波数のリソースの上でユーザ機器に対してブロードキャスト情報を送信することになることを示す。
【００４９】
マクロｅＮＢが、ほとんどブランクのサブフレームにおいて情報を全く送信せず、またはほんの少ししか送信しないので、ピコｅＮＢが、マクロｅＮＢのほとんどブランクのサブフレームに対応する保護されたサブフレームにおいてリソースの上でユーザ機器に対してブロードキャスト情報を送信する場合に、相互干渉が、回避される可能性があり、したがって良好な受信堅牢性をユーザ機器に提供している。
【００５０】
ピコｅＮＢは、保護されたサブフレーム内でよりよいチャネル品質インジケータを有するリソースを選択して、ブロードキャスト情報を送信することができることが好ましい。
【００５１】
ステップＳ２４を実行するプロセスは、例えば、マクロ・セルからピコ・セルへのハンドオーバの前に、またはハンドオーバ中に実行される可能性がある。したがって、ユーザ機器は、ピコ・セルのスケジューリングを受信することができ、これらのリソースの上でピコｅＮＢからブロードキャスト情報を受信する準備ができている可能性がある。
【００５２】
ステップＳ２５において、ピコｅＮＢは、保護されたサブフレームの時間および周波数のリソースの上でそのブロードキャスト情報を送信する。ピコｅＮＢは、固定されたリソースの上で更新期間として４０ｍｓを選択して、ＭＩＢ、ＳＩＢ−ｘ、ページング情報などのブロードキャスト情報の最小の更新期間を考慮することにより、ブロードキャスト情報を更新し、または送信することができることが好ましい。例えば、固定されたリソースは、保護されたサブフレームの時間および周波数のリソースのうちの、よりよいチャネル品質インジケータを有するリソースとすることができる。
【００５３】
このステップにおいては、ピコｅＮＢは、さらに、ユーザ機器がピコ・セルのセル範囲拡大部へと、またセル範囲拡大部の外へと移動していることを監視および捕捉し、さらに、セル範囲拡大部においてユーザ機器を更新して、それによって、保護されたサブフレームの時間および周波数のリソースの上でこれらのユーザ機器に対してブロードキャスト情報を送信することができることが好ましい。
【００５４】
図３は、本発明の別の実施形態によるセルラ・ネットワークの概略図を示すものである。
【００５５】
図３に示されるように、マクロｅＮＢのカバレッジ・エリアは、ピコ・セルによってサービスされる領域を含んでいる。ピコ・セルによってサービスされるその領域は、セル範囲拡大部（点線の円と、実線の円との間の領域Ａ）を含んでいる。しかしながら、当業者なら、マクロｅＮＢのカバレッジ・エリアが、複数のピコｅＮＢを含むことができ、またそれぞれの異なるピコｅＮＢによってサービスされる領域を含み、したがって複数のセル範囲拡大部をさらに含むことができることを理解すべきである。
【００５６】
さらに図３に示されるように、ユーザ機器は、ピコ・セルからピコ・セルのセル範囲拡大部へと移動している。
【００５７】
図３と一緒に、図４は、本発明の別の実施形態による、ピコ・セルのセル範囲拡大部内のユーザ機器がピコｅＮＢからブロードキャスト情報を受信するのを支援する方法のフロー・チャートを示すものである。
【００５８】
ステップＳ４１において、ユーザ機器は、ピコｅＮＢに対してイベント・トリガ報告のシーケンス番号、または所定の品質パラメータを送信する。ステップＳ４２において、ピコｅＮＢは、ピコ・セルからピコ・セルのセル範囲拡大部へと移動することになるユーザ機器を決定する。
【００５９】
具体的には、イベント・トリガ報告のシーケンス番号を送信する場合には、例えば、ユーザ機器は、ＬＴＥにおいて規定されるイベントＡ２と、イベントＡ３と、イベントＡ４とを利用し、イベントがトリガされるときに、ピコｅＮＢに対してイベントに対応するシーケンス番号を報告することができる。この時に、ピコｅＮＢは、ユーザ機器がピコ・セルからピコ・セルのセル範囲拡大部へと移動することになると決定することになる。
【００６０】
代わりに、ユーザ機器は、定期的に、何らかの所定の品質パラメータを、例えば、受信信号電力と、受信信号品質と、変調および符号化方式レベルとを測定し、ピコｅＮＢに対してその所定の品質パラメータを報告することができる。ピコｅＮＢは、所定のしきい値とパラメータを比較して、それによってユーザ機器がピコ・セルからピコ・セルのセル範囲拡大部へと移動することになるかどうかを決定することができる。例えば、しきい値は、物理ブロードキャスト・チャネル、ＳＩＢ−ｘ、ページング情報などの伝送要件に関して決定することができる。
【００６１】
ステップＳ４３において、ピコｅＮＢは、マクロｅＮＢのほとんどブランクのサブフレームに対応する保護されたサブフレームの時間および周波数のリソースの上で、所定の伝送方式および所定の伝送モードで、決定されたユーザ機器に対して第２の支援シグナリングを送信し、第２の支援シグナリングは、ピコｅＮＢのブロードキャスト情報と、ブロードキャスト情報に対応するピコ・セルの識別子とを含んでいる。それゆえに、ユーザ機器は、第２の支援シグナリングからピコｅＮＢのブロードキャスト情報を獲得し、ピコ・セルの識別子から、どのピコ・セルにブロードキャスト情報が対応しているかを知ることができる。
【００６２】
例えば、具体的には、ピコｅＮＢは、物理ダウンリンク共用チャネル（ＰＤＳＣＨ）の上でユーザ機器に対してピコｅＮＢのブロードキャスト情報を含む第２の支援シグナリングを送信し、ＰＤＣＣＨの上でユーザ機器をスケジュールし、どの物理リソース・ブロック（ＰＲＢ）対の上に支援シグナリングが位置しているかをユーザ機器に通知することができる。これは、例えば、事前に定義されるように実行される可能性がある。
【００６３】
マクロｅＮＢが、ほとんどブランクのサブフレームにおいて情報を全く送信せず、またはほんの少ししか送信しないので、ピコｅＮＢが、マクロｅＮＢのほとんどブランクのサブフレームに対応する保護されたサブフレームにおいてリソースの上で第２の支援シグナリングを送信する場合に、相互干渉が、回避される可能性があり、したがって良好な受信堅牢性をユーザ機器に提供している。
【００６４】
ピコｅＮＢは、保護されたサブフレームにおいて、よりよいチャネル品質インジケータを有するリソースを選択して、支援シグナリングを送信することができることが好ましい。
【００６５】
さらに、ユーザ機器による支援シグナリングの正しい受信は、反復伝送方式と、空間ダイバーシティ方式とにおいてさらに保証される可能性がある。他方では、所定の伝送モードは、ユーザ特有の伝送モードと、ユーザ・グループ特有の伝送モードとを含むことができる。さらに、第２の支援シグナリングは、上記の第１の支援シグナリングに類似して実現され、その詳細な説明は、ここでは反復されないであろう。
【００６６】
ステップＳ４４において、ピコｅＮＢは、ピコ・セルからピコ・セルのセル範囲拡大部へと移動するユーザ機器に対して第２の制御シグナリングを送信し、第１の制御シグナリングは、ピコｅＮＢが、マクロｅＮＢのほとんどブランクのサブフレームに対応する保護されたサブフレームの時間および周波数のリソースの上でユーザ機器に対してブロードキャスト情報を送信することになることを示す。このプロセスは、例えば、ユーザ機器の、セル範囲拡大部への移動の前に、移動中に、または移動の後に実行される可能性がある。したがって、セル範囲拡大部へと移動したユーザ機器は、ピコ・セルによるスケジューリングを受信することができ、これらのリソースの上でピコｅＮＢからブロードキャスト情報を受信する準備ができている可能性がある。
【００６７】
マクロｅＮＢが、ほとんどブランクのサブフレームにおいて情報を全く送信せず、またはほんの少ししか送信しないので、ピコｅＮＢが、マクロｅＮＢのほとんどブランクのサブフレームに対応する保護されたサブフレームにおいて、リソースの上でユーザ機器に対してブロードキャスト情報を送信する場合に、相互干渉が、回避される可能性があり、したがって良好な受信堅牢性をユーザ機器に提供している。
【００６８】
ピコｅＮＢは、保護されたサブフレームにおいて、よりよいチャネル品質インジケータを有するリソースを選択して、ブロードキャスト情報を送信することができることが、好ましい。
【００６９】
ステップＳ４５において、ピコｅＮＢは、保護されたサブフレームの時間および周波数のリソースの上でそのブロードキャスト情報を送信する。ピコｅＮＢは、固定されたリソースの上で更新期間として４０ｍｓを選択して、ＭＩＢ、ＳＩＢ−ｘ、ページング情報などのブロードキャスト情報の最小の更新期間を考慮することにより、ブロードキャスト情報を更新し、または送信することができることが、好ましい。例えば、固定されたリソースは、保護されたサブフレームの時間および周波数のリソースのうちの、よりよいチャネル品質インジケータを有するリソースとすることができる。
【００７０】
このステップにおいては、ピコｅＮＢは、さらに、ユーザ機器がピコ・セルのセル範囲拡大部へと、またセル範囲拡大部の外へと移動していることを監視および捕捉し、さらに、セル範囲拡大部においてユーザ機器を更新して、それによって、保護されたサブフレームの時間および周波数のリソースの上でこれらのユーザ機器に対してブロードキャスト情報を送信することができることが好ましい。
【００７１】
代わりに、セル範囲拡大部におけるユーザ機器が、ピコｅＮＢのブロードキャスト情報を正しく受信することを可能にするために、マクロｅＮＢと、ピコｅＮＢとの開始するサブフレームが、互いに移動される可能性があり、その結果、マクロｅＮＢと、ピコｅＮＢとが、それぞれブロードキャスト情報を送信するために使用するサブフレームのロケーションは、互いに相殺し合う。
【００７２】
当業者なら、上記の実施形態は、例示的であり、限定するものではないことを理解すべきである。異なる実施形態内に現れる異なる技術的特徴は、組み合わされて、利益をもたらすことができる。当業者なら、図面、説明、および特許請求の範囲について検討したとき、開示された実施形態の他の変形実施形態を理解し、作ることができる。特許請求の範囲においては、用語「備えている（ｃｏｍｐｒｉｓｉｎｇ）」は、別のデバイス（単数もしくは複数）またはステップ（単数もしくは複数）を除外することにはならず、不定冠詞「１つの（ａ）」または「１つの（ａｎ）」は、複数形を除外することにはならず、用語「第１の（ｆｉｒｓｔ）」、「第２の（ｓｅｃｏｎｄ）」などは、名前を指定することを意図しているが、特定のどのような順序を示唆することも意図してはいない。どのような参照番号も、特許請求された範囲を限定するようには解釈されるべきではない。特許請求の範囲内に現れる複数の要素の機能は、単一の要素によって実行される可能性がある。異なる従属請求項内に現れるいくつかの技術的特徴は、これらの技術的特徴が、組み合わされて、利益をもたらすことができないことを示唆しない。
【図１】
2015518344.tif 000003
【図２】
2015518344.tif 000004
【図３】
2015518344.tif 000005
【図４】
2015518344.tif 000006
【国際調査報告】
2015518344.tif 000007
2015518344.tif 000008
2015518344.tif 000009